(57)【特許請求の範囲】
【請求項１】
人が着用若しくは持ち運びするように構成された物品であって、
柔軟性材料を有し、前記物品の内側および外側を定義する本体部と、
前記本体部に形成され、前記物品の前記内側と前記外側との間に連通路を提供する開口部と、
前記本体部の前記開口部に固定された消臭剤用容器であって、前記物品の前記内側に位置する内壁と前記物品の前記外側に位置する外壁とを有し、且つ前記内壁と前記外壁との間に位置するチャンバーを含む、前記消臭剤用容器と、
前記チャンバー内に配置された挿入式消臭剤と
を有する物品。
【請求項２】
請求項１記載の物品において、前記挿入式消臭剤は前記チャンバー内に取り外し可能に保持されるものである物品。
【請求項３】
請求項２記載の物品において、前記挿入式消臭剤は、固体消臭物質を含むものである物品。
【請求項４】
請求項２記載の物品において、前記挿入式消臭剤は、液体消臭物質を有する消臭カートリッジを有するものである物品。
【請求項５】
請求項２記載の物品において、前記消臭剤用容器は、閉鎖位置と開放位置との間を移動するように構成されており、前記挿入式消臭剤は、前記消臭剤用容器が当該閉鎖位置にあるとき前記チャンバーに固定され、前記消臭剤用容器が当該開放位置にあるとき前記チャンバーから取り外し可能である物品。
【請求項６】
請求項５記載の物品において、前記消臭剤用容器の前記内壁および前記外壁は、前記チャンバーに連通する複数の通気路を含み、前記消臭剤用容器の前記内壁はヒンジ構造によりフレーム部材に取り付けられており、前記消臭剤用容器が前記閉鎖位置と前記開放位置との間で移動するとき、前記内壁および前記ヒンジ構造も動くものである物品。
【請求項７】
請求項１記載の物品において、前記物品は衣類または鞄である物品。
【請求項８】
請求項１記載の物品において、前記挿入式消臭剤は、細菌を抑制することを目的とする物質を含むものである物品。
【請求項９】
請求項１記載の物品において、前記柔軟性材料は織物である物品。
【請求項１０】
請求項１記載の物品において、前記柔軟性材料は合成または自然皮革材料である物品。
【請求項１１】
消臭装置であって、
開口部が形成された一枚の織物であって、この開口部は当該一枚の織物の第１の側から当該一枚の織物の第２の側への通路を形成するものである、前記一枚の織物と、
前記一枚の織物に固定され、かつ少なくとも部分的に前記開口部を覆う消臭剤用容器であって、当該消臭剤用容器の第１の側と対向する第２の側との間に位置付けられたチャンバーを含み、当該消臭剤用容器の第１の側および第２の側の双方は通気性を有するものである、前記消臭剤用容器と、
前記消臭剤用容器のチャンバー内に取り外し可能に配置される挿入式消臭剤と
を有する消臭装置。
【請求項１２】
請求項１１記載の消臭装置において、前記一枚の織物は、第１の部分と当該第１の部分に継ぎ合わされた第２の部分とを有するものであり、前記開口部は当該第１の部分と当該第２の部分との間に形成されているものである消臭装置。
【請求項１３】
請求項１１記載の消臭装置において、前記一枚の織物は、衣類に提供されるものである消臭装置。
【請求項１４】
請求項１１記載の消臭装置において、前記一枚の織物は、鞄に提供されるものである消臭装置。
【請求項１５】
請求項１１記載の消臭装置において、前記消臭剤用容器の第２の側はフレーム部材と当該フレーム部材に連結された扉を有し、この扉は当該扉が実質的に前記開口部を覆う第１の位置と当該扉が前記開口部から取り除かれる第２の位置との間で移動自在なものである消臭装置。
【請求項１６】
請求項１５記載の消臭装置において、前記扉はヒンジ構造により前記フレーム部材に連結されているものであり、それにより前記扉が前記フレーム部材に対して旋回して前記第１の位置と前記第２の位置との間で移動するようになっている消臭装置。
【請求項１７】
織物物品の臭気を抑制する方法であって、
前記織物物品に位置付けられた消臭剤用容器を開口し、当該消臭剤用容器の第１の側と第２の側との間に配置されるチャンバーを露出させる工程であって、当該消臭剤用容器の第１の側は前記織物物品の外側に位置し、当該記消臭剤用容器の第２の側は前記織物物品の内側に位置するものであり、当該第１の側および第２の側の双方は通気性を有するものである、前記開口する工程と、
前記チャンバーから第１の挿入式消臭剤を取り外す工程と、
前記チャンバーに第２の挿入式消臭剤を挿入する工程と、
前記消臭剤用容器を閉じて、前記第２の挿入式消臭剤を前記チャンバー内に固定する工程と
を有する方法。
【請求項１８】
請求項１７記載の方法において、前記消臭剤用容器を開口する工程は、前記消臭剤用容器のヒンジ扉を開口する工程を含むものである方法。
【請求項１９】
請求項１７記載の方法において、前記織物物品は当該織物物品の前記内側と前記外側の間に通路を提供するための穴部を有するものであり、前記消臭器は、当該穴部を少なくとも部分的に覆うものである方法。
【発明の詳細な説明】
【技術分野】
【０００１】
本出願は消臭装置の分野に関し、特に鞄、衣服、または人が着用若しくは持ち運びするように構成された他の衣服若しくはアクセサリーとともに使用される消臭装置に関する。
【背景技術】
【０００２】
人が着用若しくは持ち運びする消臭物品を可能にする様々な装置がある。例えば、衣服の使用後しばらくの間ジムバッグの中に入れられた衣服に関する悪臭を減少させようとする試みにおいて、芳香剤または悪臭中和剤がジムバッグの中に挿入される。これらの消臭製品はスプレーまたは前記ジムバックの中に放り込まれる固体製品によって提供される。しかしながら、前記消臭製品が前記バックの中で悪臭のある物品によって容易に覆われことによって、その消臭製品の効果は薄れる。一旦他の物品によって覆われると、前記消臭製品は前記バッグの上部の頂上部空間において機能しない。前記バッグの上部のこの空間にある悪臭は、当該バッグから容易に逃れ、当該バッグのユーザーの気分を害しがちである。
【０００３】
消臭製品が鞄で使用されるのに加えて、消臭製品はまた着用しているときの衣類にも使用される。例えば、猟師は多くの場合人のにおいを隠したいと願う。これは、芳香スプレーまたは臭気中和剤を猟師の服に適用することにより行われる。しかしながら、これらの消臭製品は、多くの場合猟師にとって不便なものと考えられる、なぜなら何度も繰り返し、少なくとも各洗濯の後に適用しなければならないからである。ユーザーの便利さのため、幾つかの狩猟衣服には永久的な臭気捕捉層を備えたり、当該衣服の表面に適用されるような仕上がりがされている。しかしながら、永久的な臭気捕捉特性を備えたこれらの製品は、時間とともに洗い落とされる傾向にあり、ユーザーには強い臭気捕捉能力のない衣服だけが残る。
【０００４】
上記のことを考慮して、改良された消臭器が提供されることが望まれている。この様な装置が、例えば衣服、鞄などの製品、または人が持ち運びする他の製品に固定的に組み込まれることは有益であろう。また、前記消臭装置が、衣服の使用期間中ずっと容易にかつ効果的に使用できるのであれば有益であろう。さらに、前記消臭装置が、前記物品に関連して使用される異なる消臭製品に様々な選択肢を提供することができれば有益であろう。
この出願の発明に関連する先行技術文献情報としては、以下のものがある。
（先行技術文献）
（特許文献）
（特許文献１）  米国特許第３，９６４，６８４号明細書
（特許文献２）  米国特許第７，１０８，４２５号明細書
（特許文献３）  米国特許第７，２１０，４２６号明細書
（特許文献４）  米国特許第７，２７３，１８４号明細書
（特許文献５）  米国特許第５，９８８，５２０号明細書
（特許文献６）  米国特許第５，５３９，９３０号明細書
（特許文献７）  米国特許第５，１７４，４６２号明細書
（特許文献８）  米国特許第５，０６５，８８６号明細書
（特許文献９）  米国特許第４，９１７，２５４号明細書
（特許文献１０）  米国特許第３，９０２，８７７号明細書
（特許文献１１）  米国特許第３，８４０，１４５号明細書
（特許文献１２）  米国特許第３，７５９，３５６号明細書
（特許文献１３）  米国特許第３，４６８，４７１号明細書
（特許文献１４）  米国特許第２，８０２，５９０号明細書
（特許文献１５）  米国特許第２，５４５，１６０号明細書
（特許文献１６）  米国特許第２，１４３，０６２号明細書
（特許文献１７）  米国特許出願公開第２００８／０１１８４１１号明細書
（特許文献１８）  米国特許出願公開第２００６／０２７２９８０号明細書
（特許文献１９）  米国特許出願公開第２００５／０１９９７４１号明細書
【発明の概要】
【課題を解決するための手段】
【０００５】
本開示の１つの実施形態によれば、人が着用若しくは持ち運びするように構成された物品が提供され、この物品は消臭器を有する本体部分と、当該消臭器内に配置される挿入式消臭剤とを含む。前記物品の本体部分は、当該物品の内側と外側を形成する柔軟性材料から構成されている。前記本体部分には、前記物品の内側と外側との間に通路を提供する開口部が形成されている。前記消臭器は、内壁と外壁との間に位置付けられるチャンバーを含む。前記挿入式消臭剤は前記チャンバー内に配置される。
【０００６】
前記物品の様々な実施形態が可能である。例えば、前記物品は、前記本体部分が織物材料である衣類または鞄の形態で提供される。１つの実施形態おいて、前記消臭剤は、前記チャンバー内に取り外し可能に保持される固体消臭物質である。前記消臭器は閉鎖位置と開放位置との間を移動するように構成されており、前記挿入式消臭剤は、前記消臭器が前記閉鎖位置にあるとき前記チャンバーに固定され、前記消臭器が前記開放位置にあるとき前記チャンバーから取り外し可能である。前記消臭器の内壁および外壁は、前記チャンバーに連通する複数の通気道を含む。前記消臭器の内壁は、ヒンジ構造でフレーム部材に取り付けられている。
【０００７】
本開示のさらに別の実施形態によれば、消臭装置は１つの穴部が形成された一枚の織物と、この一枚の織物に固定される消臭器とを有する。前記穴部は、前記一枚の織物の第１の側から前記一枚の織物の第２の側への通路を形成する。前記消臭器は、少なくとも部分的に前記穴部を覆い、さらに前記消臭器の第１の側と前記消臭器の対向する第２の側との間に位置付けられたチャンバーを含む。前記消臭器の第１の側と第２の側の双方は通気性を有する。挿入式消臭剤は、前記消臭器のチャンバーに取り外し可能に配置される。
【０００８】
本開示のさらに別の実施形態によれば、織物物品の臭気を抑制する方法が提供される。この方法は、前記織物物品に配置された消臭器を開口し、当該消臭器の第１の側と第２の側との間に位置付けられたチャンバーを露出させる工程を有する。前記消臭器の第１の側は前記織物物品の外側に位置し、前記消臭器の第２の側は前記織物物品の内側に位置する。前記消臭器の第１の側と第２の側の双方は通気性を有する。この方法はさらに、前記チャンバーから第１の挿入式消臭剤を取り外す工程と、前記チャンバーに第２の挿入式消臭剤を挿入する工程と、前記消臭器を閉じて、前記第２の挿入式消臭剤を前記チャンバーに固定する工程とを有する。
【０００９】
上述した特徴および利点、およびその他のことも、以下の詳細な説明および添付の図面を参照するこにより、当業者にとってより容易に明らかになるであろう。１若しくはそれ以上の様々な有利な特徴を提供する、人が着用若しくは持ち運びする物品を提供することは望ましいことではあるが、本明細書に開示された教示は、１若しくはそれ以上の上記の利点を達成するか否かに関わらず、添付の特許請求の範囲に含まれる実施形態にまで拡張されるものである。
【図面の簡単な説明】
【００１０】
【図１】図１は、織物に設置された消臭器の消臭装置の線図を示す。
【図２】図２は、図１の消臭器の内壁の平面図示す。
【図３】図３は、図２の消臭器の内壁の斜視図を示す。
【図４】図４は、開放位置の内壁を伴った図２の消臭器の平面図を示す。
【図５】図５は、挿入式消臭剤を有する図１の消臭器の分解斜視図を示す。
【発明を実施するための形態】
【００１１】
図１〜５には、人が着用若しくは持ち運びする物品１０が示されている。各物品１０は本体部分２０と、この本体部分２０によって保持される消臭器４０とを含む。前記消臭器４０は、外壁５２と内壁５４とを含み、当該外壁５２と当該内壁５４との間に位置付けられるチャンバー６０を有する。以下でさらに詳しく説明するように、前記チャンバー６０は、挿入式消臭剤７０を受け入れるように構成されている（図５を参照）。本明細書で使用される用語「消臭剤」は、悪臭を中和、隠す、または除去する、あるいは芳香または香りを提供することを目的とする物質について言及する。少なくとも１つの実施形態において、「消臭剤」は、細菌発酵を防ぐあるいは細菌を抑制することを目的とする物資を含む。しかしながら、１若しくはそれ以上の実施形態において、「消臭剤」は、細菌抑制物質または性質を含まず、単に悪臭を中和、隠す、または除去する、あるいは芳香または香を提供することを目的とする物質について言及する。
【００１２】
前記物品１０は、あらゆる異なる形状で提供される。図１には前記物品１０の２つの例示的な形状が示されている。第１の形状は衣類として示されており、特にシャツ１２である。第２の形状は鞄として示され、特にジムバッグ１４である。シャツ１２およびバック１４が図１に前記物品１０の例示的な実施形態として示されたが、前記物品１０は、例えば、バックパック、ジャケット、コート、靴、帽子、パンツなどのあらゆる異なる形状で、または人が着用若しくは持ち運びするように構成された他の物品で提供される。
【００１３】
前記物品２０の本体部分２０は前記物品１０の主要部分に広がっており、一般に柔軟性材料で構成されている。開示の実施形態において、柔軟性材料２２は、例えばニット、織物、または不織布のような織物材料である。他の実施形態において、前記柔軟性材料２０は、皮革材料、合成皮革材料、または他の柔軟性材料である。前記本体部分は、前記物品１０の内側２４と外側２６とを形成する。
【００１４】
前記本体部分２０に、開口部３０が形成されている。前記開口部３０は、前記本体部分２０に前記物品１０の内側２４と外側２６の間に延長する穴部たまは通路を提供する。前記開口部３０のサイズは一般に前記消臭器４０よりわずかに小さく、前記消臭器４０が当該開口部３０の範囲を完全に占める。しかしながら、幾つかの実施形態において、前記開口部３０の部分は、前記消臭器４０の範囲を超えて延出する。開示の実施形態において、前記開口部３０は、柔軟性材料２２との単一の一体型として形成される。しかしながら、他の実施形態において、前記開口部は、前記開口部３０で第２の部分に結合する第１の部分で構成される一枚の織物として形成され、当該開口部３０が当該第１の部分と当該第２の部分との間に（例えば、縫い目に沿って）形成されている。
【００１５】
前記消臭器４０は、前記開口部３０の周囲で前記物品１０の前記本体部分２０に固定される。図１〜５の開示の実施形態において、前記消臭器４０は、前記本体部分２０の外側２６で前記開口部３０の周囲に位置付けられた第１の部分４２を含む。前記消臭器４０はまた、前記本体部分の内側２４で前記開口部３０の周囲に位置付けられた第２の部分４４を含む。前記消臭器４０は、前記第１の部分４２と前記第２の部分４４の間の前記開口部３０に位置付けられるチャンバーを提供する。前記第１の部分４２および前記第２の部分４４は、多くの異なる方法で前記本体部分に固定される。例えば、前記第１の部分４２および前記第２の部分４４は、例えば縫い合わせ、接着、溶接、または当業者によって認められるあらゆる様々な他の方法で前記本体部分に連結される。
【００１６】
図１および５で最も良く示されるように、前記消臭器の第１の部分４２は、当該消臭器４０の外壁５２を提供し、この外壁５２の内側に前記チャンバー６０が位置付けられている。開示の実施形態において、前記外壁５２は円盤型で、固体の外周部分と空気を通す中央部分とを有する。前記中央部分は一般に複数のサポート部材を含み、このサポート部材の間には穴部が形成されている。
【００１７】
図２〜５で最も良く示されるように、前記消臭器の前記第２の部分４４は、周囲フレーム５６によって囲まれる内壁５４を含む。前記内壁５４は、前記周囲フレーム５６とヒンジ構造５８で連結している。前記ヒンジ構造５８により、前記内壁５４が扉として機能し、前記周囲フレームに対して閉鎖位置（図２および３を参照）および開放位置（図４を参照）の間で旋回することができる。前記チャンバー６０は、前記内壁５４が開放位置にあるとき前記物品１０の内側に向けてさらされ、前記内壁５４が閉鎖位置にあるとき前記内壁５４によって前記物品１０の内側から分離される。前記内壁は、当該内壁５４から内側へさらに延出する１若しくはそれ以上のハンドルを含む。これらのハンドル６２は、ユーザーが前記消臭器４０を開口するのを手助けするために提供されている。
【００１８】
前記周囲フレーム５６は一般に固体で、穴部が空洞である。対照的に、前記内壁５４は複数の通気道を含み、空気を通すようになっている。開示の実施形態において、前記内壁５４は、複数の円周方向および径方向のサポートバーとこのサポートバーの間にあるスロットとを有するグリル状構造として提供されている。前記内壁５４および前記外壁５２の双方が複数の穴部を含むので、空気は前記消臭器４０のチャンバー６０に容易に出入りすることができる。前記内壁５４および外壁の穴部は、前記本体部分２０を形成する前記柔軟性材料２２に存在するあらゆる極小サイズの穴よりかなり（例えば、１０若しくはそれ以上の倍数で）大きい。
【００１９】
前記内壁５４は、前記内壁が閉鎖位置でロックすることが可能な締まりばめで前記フレームに係合する。従って、前記内壁５４を前記閉鎖位置に動かすとき、ユーザーは前記内壁が前記フレームに対して据えられたことを示すわずかなポンという音または他の触知感覚を感じる。前記ヒンジ構造５８は耐久性があり、前記内壁５４が前記消臭器４０の使用期間の間繰り返し開閉することが可能である。
【００２０】
これから図５を参照して、挿入式消臭剤７０は、前記消臭器４０のチャンバー６０に取り外し可能に位置付けられる。前記内壁５４が閉鎖位置にあるとき、前記挿入式消臭剤７０は、前記外壁５２と前記内壁５４の間に捕捉されて、前記チャンバー６０内の適切な位置に固定される。前記内壁５４が開放位置にあるとき、前記挿入式消臭剤７０は前記チャンバー６０へ挿入または当該チャンバーから取り外せる。
【００２１】
図５の実施形態において、前記挿入式消臭剤７０は、消臭剤の円盤形状で固体である。前記挿入式消臭剤７０は、前記消臭器のチャンバー６０内にちょうど収まるように設計および寸法合わせされている。前記挿入式消臭剤７０は、前記挿入式消臭剤７０が前記チャンバー６０内にある状態で前記内壁５４が閉鎖位置に動くことができるように十分に小さい。前記挿入式消臭剤７０はまた、前記消臭器４０の外壁５２および内壁５４の穴部を通り抜けないように十分に大きい。
【００２２】
前記挿入式消臭剤７０は固体として１つの実施形態において開示されたが、他の実施形態では、前記挿入式消臭剤は液体物質を有する。前記消臭剤が液体である実施形態において、前記消臭器４０のチャンバー６０内に前記液体を保持するための消臭カートリッジが提供される。前記挿入式消臭剤７０が多くの様々な消臭化合物および物質から、例えば家庭用エアーフレッシュナーまたは臭気中和剤（例えば、活性炭）に一般に使用されるような化合物または物質、またはそのような化合物および物質の組み合わせなどから成ることは、当業者であれば理解するであろう。ユーザーは、異なる芳香、異なる臭気中和剤特性、異なる色などを含む異なる特徴を有する多数の異なる挿入式消臭剤から選択することができる。異なるサイズおよび形状の挿入式消臭剤７０が提供されるが、各挿入式消臭剤７０は、前記消臭器４０の空気穴を通り抜けずに前記消臭器４０のチャンバー６０内に収まるように構成される。
【００２３】
実施において、前記で開示された消臭装置は、前記物品の悪臭を抑制するのに用いられる。特に、前記物品のユーザーは、前記物品の臭気管理特性を提供するため、前記消臭器４０のチャンバー６０から前記挿入式消臭剤を選択的に挿入または取り外しできる。一旦挿入式消臭剤７０が前記チャンバーに位置付けされると、当該挿入式消臭剤は時間とともにその消臭効力を失い、使い尽くされる。前記挿入式消臭剤７０が使い尽くされたと確定すると、ユーザーは単に前記物品１０に位置付けられている前記消臭器４０を開口することにより、前記チャンバー６０がさらされる。ユーザーは、次に前記チャンバー６０から使用済み挿入式消臭剤７０を取り出し、新しい挿入式消臭剤７０を挿入する。ユーザーは、次に前記消臭器４０を閉じて、前記新しい挿入式消臭剤７０を前記チャンバー６０に固定する。前記新しい挿入式消臭剤７０は、比較的長い使用期間をユーザーに提供する。有利な点は、前記物品がユーザーによって洗濯される場合、ユーザーは、前記物品１０を洗濯する前に、前記チャンバー６０から前記挿入式消臭剤７０を単に取り外し、そして、前記洗濯の後前記チャンバー６０に前記挿入式消臭剤７０を戻す。ユーザーは、前記物品の望ましい使用に基づいて、前記消臭器に置かれる異なる挿入式消臭剤を選択する。例えば、前記物品１０を伴って狩猟しているユーザーは消臭器４０のチャンバー６０に動物臭の挿入式消臭剤７０を置くことを選択するかもしれない。しかしながら、前記物品が使用される別の非狩猟の状況では、同じユーザーは、前記消臭器４０のチャンバー６０への挿入物としてよい香りの挿入式消臭剤７０を選択するかもしれない。
【００２４】
消臭装置を有する物品の１若しくはそれ以上の実施形態の上記の詳細な説明が本明細書に提示されたが、これは実施例を示すのみを目的としたものであり、限定するのものではない。本明細書に記載される他の特徴および機能と合体することなしに得られる本明細書に記載される特定の個々の特徴および機能の利点があることは理解されるであろう。さらに、前記開示の実施形態および他の特徴および機能の様々な変更、修正、変形、または改良、あるいはそれらの代替手段が多くの他の異なる実施形態、システム、またはアプリケーションと望ましく組み合わせることができることも理解されるであろう。本明細書での現在予見できないまたは予期しない変更、修正、変形、または改良が当業者によって後で行われるであろう、これらはまた添付の特許請求の範囲により包含されることを目的とする。従って、すべての添付の特許請求の範囲の精神と範囲は、本明細書に含まれる実施形態の記載に限定されるべきものではない。
【図１】
0005887034.tif 000002
【図２】
0005887034.tif 000003
【図３】
0005887034.tif 000004
【図４】
0005887034.tif 000005
【図５】
0005887034.tif 000006